(57)【要約】【課題】  写真等を複数飾ることができ、かつ、飾られている写真等の差替えの煩雑さを解消することができる卓上スタンドを提供する。【解決手段】  本体１０の下辺が嵌入され、本体１０を傾立させて支持する溝２１を有する台座２０と、本体１０の正面にその一端が固定され、本体１０の正面から本体１０の上方を回って背面に向かうリング１２およびリング１２に通される孔が形成された板状のカバー３０を有する本体１０とを備えており、本体１０の上辺には幅方向へ伸びる凹部が形成されており、カバー３０の上辺には、この凹部と嵌合する凸部が形成されている。【選択図】        図７
0003110987.tif 000002
【実用新案登録請求の範囲】
【請求項１】
写真類を保持する本体部と、前記本体部の下辺が嵌入され、前記本体部を傾立させて支持する溝を有する台座とを備える卓上スタンドであって、
前記本体部は、
前記本体部の正面にその一端が固定され、前記本体部の正面から前記本体部の上方を回って背面に向かうリング部材と、前記リング部材に通される孔が形成された板状のカバー部材とを備えており、
前記本体部の上辺に幅方向へ伸びる凹部が形成され、前記カバーの上辺に前記凹部と嵌合する凸部が形成されている
ことを特徴とする卓上スタンド。
【請求項２】
前記リング部材の他方の一端は、自由端とされ、前記カバー部材に形成されている孔の直径よりも大きい止め具が着脱可能に取り付けられている
ことを特徴とする請求項１記載の卓上スタンド。
【考案の詳細な説明】
【技術分野】
【０００１】
本考案は、カレンダーや写真などを飾るための卓上スタンドに関する。
【背景技術】
【０００２】
カレンダーや写真を飾るための卓上スタンドについては、これまでに種々の提案がされている。例えば、特許文献１では、写真類を挟んで装着保持することができ、少なくとも正面となる面が透明となる板状材を重ねて構成される写真保持体と、写真保持体の一辺を嵌入して載置できる溝と写真保持体の裏面を支持して傾斜を持たせる支持部を有するスタンドを組み合わせて成るピクチャースタンドが開示されている。これによれば、写真のサイズや縦横方向の規制に左右されることなく、容易に写真の取替えや方向変更ができるとしている。
【特許文献１】登録実用新案第３００９２３５号公報
【考案の開示】
【考案が解決しようとする課題】
【０００３】
しかしながら、上記従来のピクチャースタンドでは、写真等が飾られる面が常に一面のみであるので、写真等を複数飾ることができない。また、写真等が飾られる面が常に一面のみであるために、飾られている写真等をユーザが替えたい場合には、その都度写真を差替えなければならず、写真等の差替えが煩雑であるという問題がある。
そこで、本考案は、上記問題点に鑑みなされたものであり、写真等を複数飾ることができ、かつ、飾られている写真等の差替えの煩雑さを解消することができる卓上スタンドを提供することを目的とする。
【課題を解決するための手段】
【０００４】
上記目的を達成するために、本考案に係る卓上スタンドは、写真類を保持する本体部と、前記本体部の下辺が嵌入され、前記本体部を傾立させて支持する溝を有する台座とを備える卓上スタンドであって、前記本体部は、前記本体部の正面にその一端が固定され、前記本体部の正面から前記本体部の上方を回って背面に向かうリング部材と、前記リング部材に通される孔が形成された板状のカバー部材とを備えており、前記本体部の上辺に幅方向へ伸びる凹部が形成され、前記カバーの上辺に前記凹部と嵌合する凸部が形成されていることを特徴とする。
これによって、リングに通されたカバーを上方に回動させて、本体の上辺に設けられた凹部にカバーの上辺に設けられた凸部を嵌め合わすと、カバーが本体と同一の傾立状態となるので、本体およびカバーのそれぞれによって写真等が挿入される袋を支持することができ、写真等を複数飾ることができる卓上スタンドが実現される。
【考案の効果】
【０００５】
以上説明したように、本考案に係る卓上スタンドによれば、本体およびカバーのそれぞれによって写真等が挿入される袋を支持することができるようになるので、写真等を複数飾ることが可能となる。
また、本体で支持されている袋を一枚めくってカバーで支持されるようにすれば、めくられたポケットの裏側に挿入されている写真等と、次のポケットの表側に挿入されている写真等とが飾られることになるので、飾られている写真等の差替えの煩雑さを解消することができる。
【考案を実施するための最良の形態】
【０００６】
以下、本考案を実施するための最良の形態について図面を参照しながら説明する。
図１は本考案の実施の形態に係る卓上スタンドの外観図である。
本実施の形態に係る卓上スタンドは、カレンダーや写真などを、薄い袋状のポケット３２に入れて卓上に飾るためのものであり、本体１０および台座２０を備えている。
本体１０は、ＡＢＳ樹脂等のプラスチックで成形された部材であり、その下辺が台座２０の溝２１に嵌入されることにより、後方に傾斜して立てられるようになっている。本体１０はこのように後方に傾立した状態となることで、写真等が挿入されるポケット３２を支持する部分となる。この本体１０は、本体１０の正面から上方を回って本体１０の背面に向かうように形成されたスチール製の部材であるリング１２を備えており、このリング１２にカバー３０やポケット３２を通すことができるようになっている。
カバー３０は、本体１０と同様にＡＢＳ樹脂等のプラスチックで成形され、ポケット３２の表紙としての役割を果たす板状の部材であり、リング１２に通すための孔が設けられている。また、カバー３０の上辺には幅方向に伸びる凸部３１が形成されており、この凸部３１が本体１０の上辺に設けられた凹部に嵌合されることで、カバー３０は本体１０の上方で傾立状態となってポケット３２を支持することができるようになる。なお、カバー３０の中央部分を開口して覗き窓３３を形成し、最前に位置するポケット３２が見えるようにしてもよい。この覗き窓３３は、図１に示すような四角形としてもよいし、円形や楕円形など、その他様々な形で形成してもよい。
台座２０は、本体１０を支持するための部材であり、本体１０と同様にＡＢＳ樹脂等のプラスチックで成形されている。この台座２０は、本体１０の下辺を嵌入して載置できる溝２１が幅方向に形成されており、この溝２１に本体１０の下辺が嵌入されることによって、本体１０の傾立状態が維持されることになる。また、台座２０の幅方向に設けられる溝２１の途中には、本体１０を載置した際に本体１０の横ずれを規制するためのストッパ２２が形成されている。
図２は、本実施の形態に係る卓上スタンドの後方斜視図である。
図２に示すように、本体１０の背面には、台座２０のストッパ２２と嵌合し、本体１０を溝２１に載置した際の横ずれを規制するためのストッパ１１が設けられている。また、リング１２の一端（本体１０の背面側）は、自由端となっており、リング１２と着脱可能な止め具１３が取り付けられている。さらに、本体１０の上辺には、カバー３０の凸部３１と嵌合する凹部１４が幅方向に設けられている。なお、止め具１３は、カバー３０およびポケット３２に形成される、リング１２に通すための孔の直径よりも大きければよく、また、その形状は図２に示すような球状に限られるものではない。
図３は、本実施の形態に係る卓上スタンドの側方断面図である。
本図に示すように、リング１２の一端（本体１０の正面側）は、本体１０を貫通して背面側からナットで本体１０に固定されている。
また、本図に示すように、カバー３０の上辺に形成された凸部３１が、本体１０の上辺に設けられた凹部１４に嵌合されることで、カバー３０が本体１０の上方で、本体１０と同様の傾立状態となる。そのため、リング１２を通して上方へポケット３２を移動させても、ポケット３２は、カバー３０によって支持されることになる。このとき、ポケット３２の正面と背面の両面に写真などを挿入しておくと、本体１０で支持されるポケット３２の正面に挿入された写真と、カバー３０で支持されるポケット３２の背面に挿入された写真との２枚の写真を同時に飾ることができるようになる。
図４は、写真等のポケット３２への挿入例を説明するための図である。
ポケット３２は、図示する矢印方向に挿入された写真３４を保持する袋状体である。図４に示すように、ポケット３２は、写真３４を挿入できるように側辺の一方が開口されるようにするのがよい。両側辺を開口すると、写真３４を挿入した側の反対側から写真３４が落ちないように位置決めが必要となるからである。また、上下辺のいずれかを開口しても、ポケット３２が本体１０で支持される場合とカバー３０で支持される場合とで、上下関係が逆転するので、ポケット３２内の写真３４が落下してしまうからである。なお、開口された辺を閉口する手段（例えば、チャックなど）を採用する場合には、上下辺のいずれかを開口してもよいし、両側辺を開口してもよいことはいうまでもない。
また、ポケット３２は、２枚の写真３４を挿入することができる厚みを有しており、挿入された写真３４等が表側と裏側の両面から見えるように開口されている。ここで、表側の写真３４等と裏側の写真３４等とは上下を逆にして挿入される必要がある。ポケット３２が、本体１０で支持される場合とカバー３０で支持される場合とでは、上下関係が逆になるからである。
図５は、リング１２と止め具１３の断面図である。
図５に示すように、リング１２の一端には止め具１３が螺子止めされており、螺子を回すことによってリング１２と止め具１３とは着脱可能になっている。このように、リング１２の自由端側と止め具１３とを着脱可能とすることで、ポケット３２を差替えることができるようになり、カバー３０と本体１０とで挟まれるポケット３２の数を調整することも可能となる。なお、リング１２と止め具１３との固定手段は、螺子止めに限られず、着脱可能であれば嵌め込み等のその他の手段を用いてもよいことはいうまでもない。
このように構成される卓上スタンドの使用例を図６に示す。
図６に示すように、卓上スタンドは、本体１０の下辺を台座２０の溝２１に嵌合し、本体１０を後方に傾立させた状態で使用される。カバー３０と、写真３４が挿入された複数のポケット３２とはリング１２に通されることによって束ねられており、カバー３０を上方へ回動させ、凸部３１を本体１０の上辺に設けられた凹部１４（図６では図示せず。）に嵌合することにより、カバー３０は本体１０と同様の傾立状態となる。これによって、卓上スタンドは、本体１０とカバー３０とによって、それぞれポケット３２を支持するので、ポケット３２の表側と裏側の両面に写真を挿入しておくことで写真を複数飾ることが可能となる。また、本体１０で支持されているポケット３２を一枚めくってカバー３０で支持されるようにすれば、そのポケット３２の裏側に挿入されている写真と、次のポケット３２の表側に挿入されている写真とが飾られることになるので、飾られている写真等の差替えの煩雑さを解消することができる。
ここで、ポケット３２に挿入されるのは写真だけでなく、例えばカレンダーなどであってもよい。図７は、卓上スタンドの別の使用例を示す図である。図７に示すように、ポケット３２にカレンダー３５を挿入することで、卓上スタンドをカレンダー立てとして用いることも可能である。なお、ポケット３２に挿入されるカレンダー３５は、２枚のカレンダーであってもよいし、両面印刷がされた１枚のカレンダーとしてもよい。
なお、ポケット３２の表側にカレンダー３５を挿入しておき、ポケット３２の裏側に写真３４を挿入しておけば、飾られる写真が月ごとに変わるので、ユーザを楽しませるカレンダー立てとなりうる。
また、卓上スタンドは、図８に示すように、カバー３０の凸部３１を本体１０の上辺の凹部１４に嵌合させないで、表側と裏側の両面に写真等を飾るように使用することもできる。
以上、本考案に係る卓上スタンドについて実施の形態に基づいて説明したが、本考案は、この実施の形態に限定されるものではなく、その範囲を逸脱することなく本考案の趣旨に沿って様々の変形または修正が可能であることはいうまでもない。
例えば、上記実施の形態では、リングの一端を本体１０に固定し、他方の一端を自由端とする構成としたが、リングの両端が回動するように本体１０に固定し、リングが中央部分で本体１０の正面側と背面側とに分離する構成としてもよい。
【産業上の利用可能性】
【０００７】
本考案に係る卓上スタンドは、卓上の写真立てやカレンダー立て等として有用である。
【図面の簡単な説明】
【０００８】
【図１】本考案の実施の形態に係る卓上スタンドの外観図である。
【図２】本考案の実施の形態に係る卓上スタンドの後方斜視図である。
【図３】本考案の実施の形態に係る卓上スタンドの側方断面図である。
【図４】写真等のポケットへの挿入例を説明するための図である。
【図５】リングと止め具の断面図である。
【図６】卓上スタンドの使用例を示す図である。
【図７】卓上スタンドの使用例を示す図である。
【図８】卓上スタンドの使用例を示す図である。
【符号の説明】
【０００９】
１０        本体
１１、２２  ストッパ
１２        リング
１３        止め具
１４        凹部
２０        台座
２１        溝
３０        カバー
３１        凸部
３２        ポケット
３３        覗き窓
３４        写真
３５        カレンダー
【図１】
0003110987.tif 000003
【図２】
0003110987.tif 000004
【図３】
0003110987.tif 000005
【図４】
0003110987.tif 000006
【図５】
0003110987.tif 000007
【図６】
0003110987.tif 000008
【図７】
0003110987.tif 000009
【図８】
0003110987.tif 000010